(57)【要約】【課題】他の電気機器が運転中である場合でも、直流給電線路に流れる電流を契約電流以下に制限することが可能な電気機器を提供する。【解決手段】このＩＨ調理器１０は、直流給電線路８の電圧ＶＩを検出する監視部１３と、直流給電線路８の電圧ＶＩが低下したことに応じて電流制限値ＩＬを低下させる設定部１４と、直流給電線路８から本体部１２に流れる電流を電流制限値ＩＬ以下に制限する電流リミッタ１５とを備える。したがって、他の電気機器９の運転によって直流給電線路８の電圧ＶＩが低下している場合でも、直流給電線路８に流れる直流電流を契約電流以下に制限できる。【選択図】図２
2012186935.tif 000002
【特許請求の範囲】
【請求項１】
直流電源から直流給電線路を介して供給される直流電力によって駆動される本体部を備えた電気機器であって、
前記直流給電線路の電圧を検出する電圧検出部と、
前記電圧検出部の検出結果に基づいて電流制限値を設定し、前記直流給電線路の電圧が低下したことに応じて前記電流制限値を低下させる設定部と、
前記直流給電線路から前記本体部に流れる電流を前記電流制限値以下に制限する電流制限部とを備える、電気機器。
【請求項２】
さらに、前記本体部の消費電流と前記電流制限部に流れる電流との差の電流を前記本体部に供給するための蓄電池と、
前記蓄電池の蓄電量を検出する蓄電量検出部と、
前記蓄電量検出部の検出結果に基づいて前記電流制限部の出力ノードから前記蓄電池に電流を流す充電部と、
前記蓄電量検出部の検出結果に基づいて前記蓄電池から前記本体部に電流を流す放電部とを備える、請求項１に記載の電気機器。
【請求項３】
前記充電部は、
前記電流制限部の出力ノードから前記蓄電池に電流を流す第１のダイオードと、
前記電流制限部の出力ノードと前記蓄電池との間に前記第１のダイオードと直列接続され、前記蓄電池の蓄電量が予め定められた上限値よりも大きい場合に非導通になる第１のスイッチング素子とを含み、
前記放電部は、
前記蓄電池から前記本体部に電流を流す第２のダイオードと、
前記蓄電池と前記本体部との間に前記第２のダイオードと直列接続され、前記蓄電池の蓄電量が予め定められた下限値よりも小さい場合に非導通になる第２のスイッチング素子とを含む、請求項２に記載の電気機器。
【請求項４】
前記第１および第２のスイッチング素子は、前記蓄電池の蓄電量の変化速度が予め定められた値を超えた場合に非導通になる、請求項３に記載の電気機器。
【請求項５】
前記本体部の出力は調整可能になっていて、
さらに、前記蓄電池の蓄電量が前記予め定められた下限値よりも小さい場合、前記本体部の消費電流が前記電流制限値以下になるように前記本体部の出力を制限する出力制限部を備える、請求項３または請求項４に記載の電気機器。
【発明の詳細な説明】
【技術分野】
【０００１】
この発明は電気機器に関し、特に、直流電源から直流給電線路を介して供給される直流電力によって駆動される本体部を備えた電気機器に関する。
【背景技術】
【０００２】
現在、家庭などの屋内配線には交流電力が供給されている。しかし、多くの電気機器は、交流電力を直流電力に変換する電力変換部を備えており、電気機器の本体部は直流電力によって駆動される。そこで、電力変換部における電力損失を削減するため、屋内配線に直流電力を供給する直流給電システムが注目され、その導入が検討されている。
【０００３】
この直流給電システムでは、直流給電線路に接続される電気機器の数が増えて直流給電線路を流れる負荷電流が増大すると、直流給電線路で大きな電圧降下が発生し、直流給電線路の終端電圧が低下すると言う問題がある。終端電圧が許容範囲の下限値よりも低下すると、終端に接続された電気機器が正常に動作しなくなる。
【０００４】
この対策として、直流給電線路の始端電圧と終端電圧を検出し、それらの平均値が電気機器の動作電圧の許容範囲内になるように直流電源の出力電圧を制御する方法がある（たとえば、特許文献１参照）。
【０００５】
また、ＩＨ（Induction Heating)調理器やエアコンなどのハイパワー電気機器を使用する場合、直流給電線路に流れる電流が契約電流を超過し、ブレーカが遮断状態になったり、電気機器自身によって出力制限が行なわれる恐れがある。
【０００６】
この対策として、ＩＨ調理器に専用の蓄電池を設け、加熱運転時に所定値を超える高出力が要求された場合に蓄電池から本体部に直流電力を供給する方法がある（たとえば、特許文献２参照）。
【先行技術文献】
【特許文献】
【０００７】
【特許文献１】特開２００９−１５９６５２号公報
【特許文献２】特開２００９−２１０２７号公報
【発明の概要】
【発明が解決しようとする課題】
【０００８】
しかし、特許文献１の方法では、直流給電線の始端電圧と終端電圧の平均値が許容範囲内に入るように直流電源の出力電圧を制御するので、直流給電線路に大電流が流れている場合、直流給電線路の始端電圧が許容範囲の上限を超えてしまう可能性がある。
【０００９】
また、特許文献２の方法では、他のハイパワー電気機器の運転中にＩＨ調理器を使用すると、直流給電線路に流れる電流が契約電流を超えてブレーカが遮断状態になる可能性がある。
【００１０】
それゆえに、この発明の主たる目的は、他の電気機器が運転中である場合でも、直流給電線路に流れる電流を契約電流以下に制限することが可能な電気機器を提供することである。
【課題を解決するための手段】
【００１１】
この発明に係る電気機器は、直流電源から直流給電線路を介して供給される直流電力によって駆動される本体部を備えた電気機器であって、直流給電線路の電圧を検出する電圧検出部と、電圧検出部の検出結果に基づいて電流制限値を設定し、直流給電線路の電圧が低下したことに応じて電流制限値を低下させる設定部と、直流給電線から本体部に流れる電流を電流制限値以下に制限する電流制限部とを備えたものである。
【００１２】
好ましくは、さらに、本体部の消費電流と電流制限部に流れる電流との差の電流を本体部に供給するための蓄電池と、蓄電池の蓄電量を検出する蓄電量検出部と、蓄電量検出部の検出結果に基づいて電流制限部の出力ノードから蓄電池に電流を流す充電部と、蓄電量検出部の検出結果に基づいて蓄電池から本体部に電流を流す放電部とを備える。
【００１３】
また好ましくは、充電部は、電流制限部の出力ノードから蓄電池に電流を流す第１のダイオードと、電流制限部の出力ノードと蓄電池との間に第１のダイオードと直列接続され、蓄電池の蓄電量が予め定められた上限値よりも大きい場合に非導通になる第１のスイッチング素子とを含む。放電部は、蓄電池から本体部に電流を流す第２のダイオードと、蓄電池と本体部との間に第２のダイオードと直列接続され、蓄電池の蓄電量が予め定められた下限値よりも小さい場合に非導通になる第２のスイッチング素子とを含む。
【００１４】
また好ましくは、第１および第２のスイッチング素子は、蓄電池の蓄電量の変化速度が予め定められた値を超えた場合に非導通になる。
【００１５】
また好ましくは、本体部の出力は調整可能になっている。電気機器は、さらに、蓄電池の蓄電量が予め定められた下限値よりも小さい場合、本体部の消費電流が電流制限値以下になるように本体部の出力を制限する出力制限部を備える。
【発明の効果】
【００１６】
この発明に係る電気機器では、直流給電線路の電圧が低下したことに応じて電流制限値を低下させる設定部と、直流給電線路から本体部に流れる電流を電流制限値以下に制限する電流制限部とが設けられる。したがって、他の電気機器の運転によって直流給電線路の電圧が低下した場合でも、それに応じて直流給電線路から本体部に流れる電流を制限するので、直流給電線路に流れる電流を契約電流以下に制限することができ、ブレーカが遮断状態になるのを防止することができる。
【図面の簡単な説明】
【００１７】
【図１】この発明の一実施の形態による直流給電システムの構成を示すブロック図である。
【図２】図１に示した電気機器の一種であるＩＨ調理器の構成を示すブロック図である。
【図３】図２に示した電流リミッタの構成を示す回路ブロック図である。
【図４】図３に示した電流リミッタの電流制限値を示す図である。
【図５】図２に示した蓄電池のＳＯＣと端子間電圧の関係を示す図である。
【図６】図２に示した整流回路の構成および動作を示す回路図である。
【図７】図２に示した蓄電部の充電動作を示す図である。
【図８】図２に示した蓄電部の放電動作を示す図である。
【図９】図２に示した本体部１２への電力供給動作を示す図である。
【図１０】実施の形態の変更例を示す回路図である。
【発明を実施するための形態】
【００１８】
この発明の一実施の形態による直流給電システムは、図１に示すように、太陽電池１、蓄電池２、交流電源３、ＤＣ／ＤＣコンバータ４，５、ＡＣ／ＤＣコンバータ６、ブレーカ７、直流給電線路８、および複数の電気機器９を備える。
【００１９】
太陽電池１は、太陽光を受けて直流電圧を発生する。ＤＣ／ＤＣコンバータ４は、太陽電池１の出力電圧を所定の直流電圧に変換して電源ノードＮ１に与える。蓄電池２には、直流電力が蓄えられている。ＤＣ／ＤＣコンバータ５は、蓄電池２の出力電圧を所定の直流電圧に変換して電源ノードＮ１に与える。交流電源３からは、商用周波数の交流電圧が与えられる。ＡＣ／ＤＣコンバータ６は、交流電源３からの交流電圧を所定の直流電圧に変換して電源ノードＮ１に与える。
【００２０】
ブレーカ７は、電源ノードＮ１と直流給電線路８の始端との間に接続され、電源ノードＮ１から直流給電線路８に流れる電流が所定の契約電流を超えた場合に遮断状態になる。ブレーカ７は、たとえば手動により導通状態に復帰させることが可能となっている。
【００２１】
電気機器９は、直流給電線路８を介して供給される直流電力によって駆動される。電気機器９は、たとえば、ＩＨ調理器、エアコン、冷蔵庫、テレビ受信機などの家庭電化製品である。複数の電気機器９が動作して直流給電線路８に負荷電流が流れると、直流給電線路８で電圧降下が発生し、直流給電線路８の終端電圧は始端電圧よりも低くなる。
【００２２】
図２は、電気機器９の一種であるＩＨ調理器１０の構成を示すブロック図である。図２において、直流給電線路８は、正側給電線８ａおよび負側給電線８ｂを含む。ＩＨ調理器１０は、正側電源端子１０ａ、負側電源端子１０ｂ、操作部１１、本体部１２、直流電圧監視部１３、電流制限値設定部１４、および電流リミッタ１５を含む。正側電源端子１０ａおよび負側電源端子１０ｂは、それぞれ正側給電線８ａおよび負側給電線８ｂに接続される。
【００２３】
操作部１１は、ＩＨ調理器１０の使用者によって操作され、電源の投入、電源の遮断、本体部１２の出力の設定などを行なうために用いられる。本体部１２は、操作部１１によって設定された値の直流電力を高周波電力に変換し、その高周波電力を対象物（たとえば、鍋の底）に供給して加熱する。
【００２４】
直流電圧監視部１３は、電源端子１０ａ，１０ｂ間の直流電圧ＶＩを常時検出し、検出した直流電圧ＶＩを示す信号ＤＶＩを出力する。電流制限値設定部１４は、直流電圧監視部１３からの信号ＤＶＩに基づいて、電流制限値ＩＬを設定し、設定した電流制限値ＩＬを示す信号ＤＩＬを出力する。直流電圧ＶＩが低下すると電流制限値ＩＬも低下し、直流電圧ＶＩが上昇すると電流制限値ＩＬも上昇する。直流電圧ＶＩが下限値（たとえば３４０Ｖ）よりも低下すると電流制限値ＩＬは０Ａにされる。
【００２５】
電流リミッタ１５は、正側電源端子１０ａおよび負側電源端子１０ｂにそれぞれ接続された正側入力ノード１５ａおよび負側入力ノード１５ｂと、本体部１２の正側入力ノード１２ａおよび負側入力ノード１２ｂにそれぞれ接続された正側出力ノード１５ｃおよび負側出力ノード１５ｄとを含む。電流リミッタ１５は、信号ＤＩＬに基づいて、直流給電線路８から本体部１２に流れる直流電流を電流制限値ＩＬ以下に制限する。
【００２６】
図３は、電流リミッタ１５の構成を示す回路ブロック図である。図３において、電流リミッタ１５は、ＮＰＮ型バイポーラトランジスタ３０、ダイオード３１、リアクトル３２、コンデンサ３３、電流センサ３４、抵抗素子３５〜３７、演算増幅器３８，３９、および制御ロジック回路４０を含む。
【００２７】
正側入力ノード１５ａはトランジスタ３０のコレクタに接続され、トランジスタ３０のエミッタはリアクトル３２および電流センサ３４を介して正側出力ノード１５ｃに接続される。負側入力ノード１５ｂは、負側出力ノード１５ｄに接続される。ダイオード３１のアノードはノード１５ｂ，１５ｄに接続され、そのカソードはトランジスタ３０のエミッタに接続される。コンデンサ３３は、リアクトル３２および電流センサ３４間のノードとノード１５ｄとの間に接続される。電流センサ３４は、電流リミッタ１５の出力電流を検出し、その検出値に応じたレベルの電圧を出力する。電流センサ３４の出力電圧は、抵抗素子３７と、演算増幅器３９で構成されたバッファとを介して制御ロジック回路４０に与えられる。
【００２８】
抵抗素子３５，３６は、正側出力ノード１５ｃと接地電圧ＧＮＤのラインとの間に直列接続され、正側出力ノード１５ｃの電圧ＶＯを分圧する。演算増幅器３８は、抵抗素子３５，３６間のノードの電圧Ｖ３５と参照電圧ＶＲとの差の電圧を制御ロジック回路４０に与える。制御ロジック回路４０は、信号ＤＩＬと演算増幅器３９の出力電圧とに基づいて、電流リミッタ１５の出力電流が電流制限値ＩＬ以下になるように、トランジスタ３０をオン／オフ制御する。また、制御ロジック回路４０は、電流リミッタ１５の出力電流が電流制限値ＩＬ以下である場合は、電流リミッタ１５の出力電圧ＶＯが一定値になるように、トランジスタ３０をオン／オフ制御する。具体的には、制御ロジック回路４０は、トランジスタ３０のベースに与える制御信号のデューティ比を変えることによって、電流リミッタ１５の出力電流および出力電圧を制御する。
【００２９】
トランジスタ３０がオンされると、リアクトル３２に電流が流れ、リアクトル３２に電磁エネルギーが蓄えられる。トランジスタ３０がオフされると、リアクトル３２、コンデンサ３３、およびダイオード３１の経路で電流が流れ、リアクトル３２の電磁エネルギーが放出される。これにより、コンデンサ３３の端子間電圧ＶＯは、一定の電圧（たとえば、３００Ｖ）に保持される。また、ノード１５ａ，１５ｃ間に流れる電流が電流制限値ＩＬ以下に制限される。
【００３０】
図４は、電源端子１０ａ，１０ｂ間の直流電圧ＶＩと電流制限値ＩＬとの関係を示す図である。直流給電線路８に接続された全ての電気機器９の消費電流が０Ａである場合、直流電圧ＶＩは３８０Ｖである。電気機器９で電流が消費されると、直流給電線路８で電圧降下が発生し、直流電圧ＶＩが低下する。
【００３１】
直流電圧ＶＩが３７０Ｖ以上である場合、電流制限値ＩＬは所定の電流値Ｉ４（たとえば、１０Ａ）に設定される。直流電圧ＶＩが３７０Ｖよりも低く３６０Ｖ以上である場合、電流制限値ＩＬはＩ４よりも小さな値Ｉ３（たとえば、７Ａ）に設定される。直流電圧ＶＩが３６０Ｖよりも低く３５０Ｖ以上である場合、電流制限値ＩＬはＩ３よりも小さな値Ｉ２（たとえば、５Ａ）に設定される。直流電圧ＶＩが３５０Ｖよりも低く３４０Ｖ以上である場合、電流制限値ＩＬはＩ２よりも小さな値Ｉ１（たとえば、３Ａ）に設定される。直流電圧ＶＩが３４０Ｖよりも低下した場合、電流制限値ＩＬは０Ａに設定される。このように、直流電圧ＶＩが低下したことに応じて電流制限値ＩＬを低下させるので、直流給電線路８の電圧低下を抑制することができる。
【００３２】
図２に戻って、このＩＨ調理器１０は、さらに、蓄電部１６、蓄電状態（ＳＯＣ：State of Charge)監視部１９、充放電制御部２０、および機器出力制限部２１を備える。蓄電部１６は、電流リミッタ１５の正側出力ノード１５ｃと負側出力ノード１５ｄとの間に直列接続された整流回路１７および蓄電池１８を含む。
【００３３】
蓄電状態監視部１９は、蓄電池１８のＳＯＣ（％）を常時検出し、検出結果を示す信号ＤＳＯＣを出力する。蓄電状態監視部１９は、たとえば、蓄電池１８の充電電流および放電電流の積算値に基づいて、蓄電池１８のＳＯＣ（％）を検出する。ＳＯＣ（％）は、蓄電池１８が満充電されたときの蓄電量に対する蓄電池１８の現在の蓄電量の比率である。
【００３４】
充放電制御部２０は、信号ＤＳＯＣに基づいて整流回路１７を制御し、蓄電池１８の充放電を制御する。機器出力制限部２１は、電流制限値設定部１４からの信号ＤＩＬと蓄電状態監視部１９からの信号ＤＳＯＣとを受け、ＳＯＣが１０％よりも低い場合は蓄電池１８を放電させることができないので、本体部１２が電流制限値ＩＬ以下の電流で動作するように本体部１２の出力を制限する。したがって、操作部１１によって設定された電力が電力制限値ＩＬよりも大きい場合、本体部１２は、操作部１１によって設定された電力よりも低い電力で動作することとなる。
【００３５】
図５は、蓄電池１８のＳＯＣ（％）と端子間電圧ＶＢとの関係を示す図である。図５において、蓄電池１８は、ＳＯＣが１０〜９０％である場合に充放電可能となる。ＳＯＣが高くなるほど蓄電池１８の電圧ＶＢが上昇し、ＳＯＣが低くなるほど蓄電池１８の電圧ＶＢが低下する。直流給電線路８の電圧ＶＩは３４０〜３８０Ｖの間で変動する。電圧ＶＩの変動幅ΔＶＩは、約４０Ｖである。蓄電池１８の電圧ＶＢは、直流給電線路８の電圧ＶＩの最低値（３４０Ｖ）よりも低い電圧（たとえば、３００Ｖ）に設定される。
【００３６】
図６（ａ）〜（ｄ）は、整流回路１７の構成および動作を示す回路図である。図６（ａ）〜（ｄ）において、整流回路１７は、ダイオードＤ１，Ｄ２およびスイッチＳＷ１，ＳＷ２を含む。ダイオードＤ１のアノードは電流リミッタ１５の正側出力ノード１５ｃに接続され、そのカソードはスイッチＳＷ１を介して蓄電池１８の正極に接続される。蓄電池１８の負極は、電流リミッタ１５の負側出力ノード１５ｄに接続される。ダイオードＤ２のアノードはスイッチＳＷ２を介して蓄電池１８の正極に接続され、そのカソードは正側出力ノード１５ｃに接続される。スイッチＳＷ１，ＳＷ２の各々は、蓄電池１８のＳＯＣに基づき、充放電制御部２０によって制御される。
【００３７】
蓄電池１８のＳＯＣが１０％以上で９０％以下である場合は蓄電池１８の充放電が可能であるので、図６（ａ）に示すように、スイッチＳＷ１，ＳＷ２がともにオンされる。電流リミッタ１５の正側出力ノード１５ｃの電圧が蓄電池１８の正極の電圧よりも高い場合は、正側出力ノード１５ｃからダイオードＤ１およびスイッチＳＷ１を介して蓄電池１８に電流Ｉｂｉが流れ、蓄電池１８が充電される。電流リミッタ１５の正側出力ノード１５ｃの電圧が蓄電池１８の正極の電圧よりも低い場合は、蓄電池１８からスイッチＳＷ２およびダイオードＤ２を介して正側出力ノード１５ｃに電流Ｉｂｏが流れ、蓄電池１８が放電される。
【００３８】
蓄電池１８のＳＯＣが９０％よりも高い場合は蓄電池１８の充電を停止する必要があるので、図６（ｂ）に示すように、スイッチＳＷ１がオフされ、スイッチＳＷ２がオンされる。電流リミッタ１５の正側出力ノード１５ｃの電圧が蓄電池１８の正極の電圧よりも高い場合は、ダイオードＤ１，Ｄ２に電流は流れない。電流リミッタ１５の正側出力ノード１５ｃの電圧が蓄電池１８の正極の電圧よりも低い場合は、蓄電池１８からスイッチＳＷ２およびダイオードＤ２を介して正側出力ノード１５ｃに電流Ｉｂｏが流れ、蓄電池１８が放電される。
【００３９】
蓄電池１８のＳＯＣが１０％よりも低い場合は蓄電池１８の放電を停止して充電する必要があるので、図６（ｃ）に示すように、スイッチＳＷ１がオンされ、スイッチＳＷ２がオフされる。電流リミッタ１５の正側出力ノード１５ｃの電圧が蓄電池１８の正極の電圧よりも高い場合は、正側出力ノード１５ｃからダイオードＤ１およびスイッチＳＷ１を介して蓄電池１８に電流Ｉｂｉが流れ、蓄電池１８が充電される。電流リミッタ１５の正側出力ノード１５ｃの電圧が蓄電池１８の正極の電圧よりも低い場合は、ダイオードＤ１，Ｄ２に電流は流れない。
【００４０】
蓄電池１８のＳＯＣが１秒以内に２０％以上変化した場合は何らかの緊急事態が発生した可能性があり、蓄電池１８の充放電を停止する必要があるので、図６（ｄ）に示すように、スイッチＳＷ１，ＳＷ２がともにオフされる。この場合、ダイオードＤ１，Ｄ２に電流は流れない。
【００４１】
図７は、電流リミッタ１５を流れる電流Ｉｒが本体部１２の消費電流Ｉｏよりも大きい場合の蓄電部１６の動作を説明するための図である。図７において、直流給電線路８の電圧ＶＩが３４０Ｖ以上であり、蓄電池１８のＳＯＣが９０％以下である場合は、Ｉｂｉ＝Ｉｒ−Ｉｏ＞０となり、蓄電池１８が充電される。蓄電池１８のＳＯＣが９０％を超えると、スイッチＳＷ１がオフされて充電が停止される。直流給電線路８の電圧ＶＩが３４０Ｖよりも低下すると、電流制限値ＩＬが０Ａとなり、充電不可となる。
【００４２】
図８は、電流リミッタ１５を流れる電流Ｉｒが本体部１２の消費電流Ｉｏよりも小さい場合の動作を説明するための図である。図８において、蓄電池１８のＳＯＣが１０％以上である場合は、蓄電池１８が放電され、Ｉｂｏ＝Ｉｏ−Ｉｒとなる。蓄電池１８のＳＣＯが１０％よりも低下すると、スイッチＳＷ２がオフされて放電が停止される。この場合は、機器出力制限部２１により、本体部１２の消費電流が電流制限値ＩＬ以下になるように本体部１２の出力が制限される。したがって、直流給電線路８の電圧ＶＩが３４０Ｖよりも低下すると、電流制限値ＩＬが０Ａとなるので、本体部１２は動作不可状態となる。
【００４３】
図９は、このＩＨ調理器１０における本体部１２への電力供給動作を示す図である。図９において、直流給電線路８の電圧ＶＩが３４０Ｖ以上であり、かつ蓄電池１８のＳＯＣが１０％以上であるＡ領域では、電流リミッタ１５から本体部１２に電流Ｉｒが供給されるとともに、蓄電池１８から本体部１２に放電電流Ｉｂｏが供給される。放電電流Ｉｂｏが不要である場合は、Ｉｂｏ＝０Ａとなる。
【００４４】
また、直流給電線路８の電圧ＶＩが３４０Ｖ以上であり、かつ蓄電池１８のＳＯＣが１０％よりも低いＢ領域では、蓄電池１８の放電が停止され、電流リミッタ１５から本体部１２に電流Ｉｒが供給される。この場合は、機器出力制限部２１により、本体部１２の消費電流Ｉｏが電流制限値ＩＬ＝Ｉｒになるように本体部１２の出力が制限される。
【００４５】
また、直流給電線路８の電圧ＶＩが３４０Ｖよりも低下し、かつ蓄電池１８のＳＯＣが１０％以上であるＣ領域では、電流制限値ＩＬが０Ａとなり、蓄電池１８から本体部１２に放電電流Ｉｂｏが供給される。本体部１２は、蓄電池１８の放電電流Ｉｂｏだけで駆動される。
【００４６】
また、直流給電線路８の電圧ＶＩが３４０Ｖよりも低下し、かつ蓄電池１８のＳＯＣが１０％よりも低下したＤ領域では、電流制限値ＩＬが０Ａとなり、蓄電池１８の放電電流Ｉｂｏも０Ａとなるので、本体部１２は動作不可状態となる。
【００４７】
この実施の形態では、直流給電線路８と本体部１２の間に電流リミッタ１５を設け、直流給電線路８の電圧ＶＩの低下に応じて電流リミッタ１５の電流制限値ＩＬを低下させる。したがって、他の電気機器９の運転によって直流給電線路８の電圧ＶＩが低下している場合でも、それに応じて直流電流Ｉｒを制限するので、直流給電線路８に流れる直流電流を契約電流以下に制限し、ブレーカが遮断状態になるのを防止することができる。
【００４８】
また、図１０は、この実施の形態の変更例を示す回路図である。図１０において、この変更例では、図２の整流回路１７が整流回路４１で置換される。整流回路４１は、２つのＮチャネルＭＯＳトランジスタ４２，４３を含む。トランジスタ４２，４３は、それぞれ寄生ダイオード４２ａ，４３ａを有する。トランジスタ４２のドレインは、電流リミッタ１５の正側出力ノード１５ｃに接続される。トランジスタ４２のソースは、トランジスタ４３のソースに接続される。トランジスタ４３のドレインは、蓄電池１８の正極に接続される。ダイオード４２ａは、トランジスタ４２のソース−ドレイン間に接続される。ダイオード４３ａは、トランジスタ４３のソース−ドレイン間に接続される。蓄電池１８の負極は、電流リミッタ１５の負側出力ノード１５ｄに接続される。
【００４９】
充放電制御部２０は、蓄電池１８を充電させる場合は、トランジスタ４２をオンさせるとともにトランジスタ４３をオフさせる。これにより、電流リミッタ１５の正側出力ノード１５ｃからトランジスタ４２およびダイオード４３ａを介して蓄電池１８の正極に電流が流れ、蓄電池１８が充電される。
【００５０】
また、充放電制御部２０は、蓄電池１８を放電させる場合は、トランジスタ４３をオンさせるとともにトランジスタ４２をオフさせる。これにより、蓄電池１８の正極からトランジスタ４３およびダイオード４２ａを介して電流リミッタ１５の正側出力ノード１５ｃに電流が流れ、蓄電池１８が放電される。
【００５１】
また、充放電制御部２０は、蓄電池１８の充放電を停止させる場合は、トランジスタ４２，４３をともにオフさせる。これにより、電流リミッタ１５の正側出力ノード１５ｃと蓄電池１８の正極との間が遮断され、蓄電池１８の充放電が停止される。この変更例でも、実施の形態と同じ効果が得られる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  太陽電池、２  蓄電池、３  交流電源、４，５  ＤＣ／ＤＣコンバータ、６  ＡＣ／ＤＣコンバータ、７  ブレーカ、８  直流給電線路、８ａ  正側給電線、８ｂ  負側給電線、９  電気機器、１０  ＩＨ調理器、１０ａ  正側電源端子、１０ｂ  負側電源端子、１１  操作部、１２  本体部、１２ａ  正側入力ノード、１２ｂ  負側入力ノード、１３  直流電圧監視部、１４  電流制限値設定部、１５  電流リミッタ、１５ａ  正側入力ノード、１５ｂ  負側入力ノード、１５ｃ  正側出力ノード、１５ｄ  負側出力ノード、１６  蓄電部、１７，４１  整流回路、１８  蓄電池、１９  蓄電状態監視部、２０  充放電制御部、２１  機器出力制限部、３０  ＮＰＮ型バイポーラトランジスタ、３１  ダイオード、３２  リアクトル、３３  コンデンサ、３４  電流センサ、３５〜３７  抵抗素子、３８，３９  演算増幅器、４０  制御ロジック回路、Ｄ１，Ｄ２  ダイオード、ＳＷ１，ＳＷ２  スイッチ、４２，４３  ＮチャネルＭＯＳトランジスタ、４２ａ，４３ａ  寄生ダイオード。
【図１】
2012186935.tif 000003
【図２】
2012186935.tif 000004
【図３】
2012186935.tif 000005
【図４】
2012186935.tif 000006
【図５】
2012186935.tif 000007
【図６】
2012186935.tif 000008
【図７】
2012186935.tif 000009
【図８】
2012186935.tif 000010
【図９】
2012186935.tif 000011
【図１０】
2012186935.tif 000012